(57)【要約】【課題】扉軸支部分でリード線の噛み込み等がない信頼性の高い冷蔵庫の提供。【解決手段】冷蔵庫本体１の貯蔵室を開閉する扉２０と、前記扉を前記冷蔵庫本体に軸支する下部ヒンジ７５ｂとを備え、前記下部ヒンジ７５ｂはリンク機構を有するヒンジとしてその一方端を冷蔵庫本体１に取付けるとともに他端を扉２０に取付け、かつ、前記ヒンジの冷蔵庫本体側の外方部分をヒンジカバー７８で覆い、前記ヒンジカバーに透孔８０を設け、前記透孔にリード線７９を通して引き回した構成としてある。これにより、扉の開閉によって生じるリード線の長さ変化に伴うヒンジ部分への噛み込みを防止することができ、信頼性の高い冷蔵庫とすることができる。【選択図】図１９
2018146202.tif 000002
【特許請求の範囲】
【請求項１】
冷蔵庫本体の貯蔵室を開閉する扉と、前記扉を前記冷蔵庫本体に軸支するヒンジと、前記扉に設けられた操作部と、前記本体に設けられた制御部と、前記操作部と前記制御部とを電気的に接続するリード線とを備え、前記ヒンジはリンク機構を有するヒンジであり、前記冷蔵庫本体または前記扉の少なくともいずれか一方は、前記リード線が前記扉から前記冷蔵庫本体に引き込まれる箇所で、前記リード線の前記冷蔵庫本体の幅方向の移動を規制する規制部を備える冷蔵庫。
【請求項２】
前記ヒンジは、少なくとも、前記冷蔵庫本体に軸支される第１リンク部と、前記扉に軸支される第２リンク部と、前記第１リンク部と前記第２リンク部とを接続する移動回転軸とを有し、前記規制部は、前記リード線の移動を前記移動回転軸より前記冷蔵庫本体の反中央部側に規制する請求項１に記載の冷蔵庫。
【請求項３】
前記冷蔵庫本体は第２規制部を有し、前記第２規制部は、前記リード線の前記冷蔵庫本体の奥行方向の移動を前記ヒンジより前記冷蔵庫本体の背面側側に規制し、前記リード線の軸方向の移動を許容する請求項２に記載の冷蔵庫。
【発明の詳細な説明】
【技術分野】
【０００１】
本発明は冷蔵庫、特に冷蔵庫の扉軸支部分を利用したリード線の引き回し構成に関するものである。
【背景技術】
【０００２】
一般に冷蔵庫は冷蔵庫本体にヒンジを介して扉が開閉自在に軸支してあり、このヒンジ部分を利用して例えば扉に設けた操作表示部と冷蔵庫本体に設けた制御部とを結ぶリード線が引き回し配線してある（例えば、特許文献１参照）。
【０００３】
図２２は上記特許文献１に記載されている扉軸支部におけるリード線引き回し構成を示し、冷蔵庫本体１０１と扉１０２とを軸支するヒンジ１０３のヒンジ軸１０４が中空になっており、リード線１０５はこのヒンジ軸１０４の中空部を通して引き回され。冷蔵庫本体１０１側の制御部と扉１０２側の操作表示部とをつないでいる。
【先行技術文献】
【特許文献】
【０００４】
【特許文献１】特開２００４−２９３９１３号公報
【発明の概要】
【発明が解決しようとする課題】
【０００５】
上記特許文献１記載のリード線引き回し構成によれば扉１０２の開閉によってリード線１０５が捻じれることがないのはもちろん、扉１０２を開けたときと閉めたときでリード線１０５の長さが変化するようなことがなく、リード線１０５の断線や傷つき等を防止できる。
【０００６】
しかしながら、上記扉軸支構成に用いるヒンジ１０３はそのヒンジ片１０３ａが冷蔵庫本体１０１の天面上に取付けられて冷蔵庫本体１０１の天面から上方に突出する。また、扉１０２を開いた状態では、扉１０２の側面が冷蔵庫本体１の側面から突出する。これらの理由のため、例えば、システムキッチン等の下部に組み込んで使用するワイン庫等の冷蔵庫では使用することができなかった。
【０００７】
従ってこのような冷蔵庫の場合は冷蔵庫本体の前端面と扉の内面との間にリンク機構を備えたヒンジを取り付けて扉を軸支するようになっている。
【０００８】
しかしながら、上記リンク機構付きヒンジを用いた軸支構成の場合、扉を開閉した時の扉後端部の開閉軌跡が前記した中空ヒンジ軸方式のヒンジを用いて軸支した扉の扉後端部の移動軌跡よりも大きくなるため、扉開閉時のリード線の長さ変化が大きなものとなり、リード線が屈曲する際のリード線への負荷が大きい。また、リード線が扉端部とヒンジ構成部品との間に噛み込まれ、傷つく場合等があった。
【０００９】
本発明はこのような点に鑑みてなしたもので、リード線の断線等を抑制し、信頼性の高い冷蔵庫の提供を目的としたものである。
【課題を解決するための手段】
【００１０】
本発明は上記目的を達成するため、冷蔵庫本体と、冷蔵庫本体の貯蔵室を開閉する扉と、前記扉を前記冷蔵庫本体に軸支するヒンジとを備え、前記ヒンジはクランク機構を有するヒンジとしてその一方端を冷蔵庫本体に取付けるとともに他端を扉に取付け、かつ、前記ヒンジの冷蔵庫本体側の外方部分をヒンジカバーで覆い、前記ヒンジカバーに透孔を設け、前記透孔にリード線を通して引き回した構成としてある。
【００１１】
これにより、扉の開閉によって生じるリード線の長さ変化を縮小し、リード線がヒンジ部分で大きく屈曲したり、ねじれたりして、リード線が傷ついたりすることを防止できる。
【発明の効果】
【００１２】
本発明は、上記構成によって、リンク機構を有するヒンジを用いて扉を軸支していても、リード線の傷付等を防止するでき、信頼性の高い冷蔵庫にできる。
【図面の簡単な説明】
【００１３】
【図１】本発明の実施の形態１における冷蔵庫の外観斜視図
【図２】同冷蔵庫の半裁斜視図
【図３】同冷蔵庫の扉を開けて底面側から見た斜視図断面図
【図４】同冷蔵庫の扉の斜視図
【図５】同冷蔵庫の壁面ユニットを貯蔵室側から見た分解斜視図
【図６】同冷蔵庫の扉の分解斜視図
【図７】同冷蔵庫の扉をさらに細かく分解して示す分解斜視図
【図８】図４のＣ−Ｃ断面図
【図９】同冷蔵庫のガスケット取付部分の分解斜視図
【図１０】同冷蔵庫のガスケットと扉とを示す分解斜視図
【図１１】同冷蔵庫の扉のガスケット取付部を示す断面図
【図１２】同冷蔵庫の扉の操作表示部分を示す分解斜視図
【図１３】同冷蔵庫の操作部ユニットの斜視図
【図１４】同冷蔵庫の扉の操作表示部分を示す断面図
【図１５】同冷蔵庫の扉上部の軸支部分を示す分解斜視図
【図１６】（ａ）同冷蔵庫の上部扉軸支部分の外箱と内箱とを示す分解斜視図、（ｂ）同外箱にヒンジ支持金具を取り付けた状態を示す斜視図、（ｃ）同外箱に内箱を組み込んだ状態を示す斜視図
【図１７】同冷蔵庫の扉のヒンジ取付部分を示す半裁斜視図
【図１８】同冷蔵庫の扉のヒンジ取付部分を拡大して示す半裁斜視図
【図１９】同冷蔵庫の扉下部の軸支部分を底面側から見た斜視図
【図２０】同冷蔵庫の扉下部のヒンジカバーを取り外した状態の軸支部分を示す斜視図
【図２１】同冷蔵庫の扉の下端面部分を示す斜視図
【図２２】従来の冷蔵庫の扉構成を示す分解斜視図
【発明を実施するための形態】
【００１４】
第１の発明は、冷蔵庫本体の貯蔵室を開閉する扉と、前記扉を前記冷蔵庫本体に軸支するヒンジと、前記扉に設けられた操作部と、前記本体に設けられた制御部と、前記操作部と前記制御部とを電気的に接続するリード線とを備え、前記ヒンジはリンク機構を有するヒンジであり、前記冷蔵庫本体または前記扉の少なくともいずれか一方は、前記リード線が前記扉から前記冷蔵庫本体に引き込まれる箇所で、前記リード線の前記冷蔵庫本体の幅方向の移動を規制する規制部を備える構成としてある。
【００１５】
これにより、扉の開閉によって生じるリード線の長さ変化を縮小し、リード線がヒンジ部分で大きく屈曲したり、ねじれたりして、リード線が傷ついたりすることを防止できる。
【００１６】
第２の発明は、第１の発明において、前記ヒンジは、少なくとも、前記冷蔵庫本体に軸支される第１リンク部と、前記扉に軸支される第２リンク部と、前記第１リンク部と前記第２リンク部とを接続する移動回転軸とを有し、前記規制部は、前記リード線の移動を前記移動回転軸より前記冷蔵庫本体の反中央部側に規制する構成としてある。
【００１７】
これにより、リード線の屈曲量やたわみ量を縮小し、リード線の傷付をより確実に防止することができる。
【００１８】
第３の発明は、前記冷蔵庫本体は第２規制部を有し、前記第２規制部は、前記リード線の前記冷蔵庫本体の奥行方向の移動を前記ヒンジより前記冷蔵庫本体の背面側側に規制し、前記リード線の軸方向の移動を許容する構成としてある。
【００１９】
これにより、扉の開閉によって生じるリード線の余剰部分が、ヒンジ部分に噛み込まれるのを防止できる。
【００２０】
以下、本発明の実施の形態について、システムキッチンに組み込んで使用されるワイン保存用の冷蔵庫を例にして図面を参照しながら説明する。なお、この実施の形態によって本発明が限定されるものではない。
【００２１】
（実施の形態１）
まず図１〜図５を用いて冷蔵庫の全体構成を説明する。
【００２２】
図１は本発明の実施の形態１における冷蔵庫の外観斜視図、図２は同冷蔵庫の半裁斜視図、図３は同冷蔵庫の扉を開けて底面側から見た斜視図断面図、図４は同冷蔵庫の扉の斜視図、図５は同冷蔵庫の壁面ユニットを貯蔵室側から見た分解斜視図である。
【００２３】
図１〜図５において、本実施の形態の冷蔵庫は、冷蔵庫本体１内に簡易な仕切板２を設けて上下二つの貯蔵室３、４が区画形成してあり、更にこの各貯蔵室３、４内にはワインボトル等を載せる棚５が設置してある。
【００２４】
上記冷蔵庫本体１は、図２に示すように、前方を開口する金属製（例えば鉄板）の外箱６と、硬質樹脂製（例えばＡＢＳ製）の内箱７と、これら外箱６と内箱７との間に発泡充填した硬質ウレタン等の発泡断熱材（図示せず）とで構成してある。そして、上記冷蔵庫本体１の開口両側部及び天井面開口部分には、図３に示すように貯蔵室３，４内を照射する照明ユニット８、９が設けてある。
【００２５】
また、前記冷蔵庫本体１の各貯蔵室３、４の前面は、回動自在な扉２０によって開閉可能としてある。上記扉２０は、図４に示すように、この例ではアルゴンガス等の断熱性ガスを封入した三重のガラス板ユニット等からなる中央板２１を有し、断熱扉として作用しつつ貯蔵室３，４内を外部から目視できるようにしてある。なお、上記扉２０には把手２２が設けてある。
【００２６】
さらに、前記扉２０の上部略中央には前記各貯蔵室３、４の温度の設定と表示を行う操作表示部２３が設けてある。この操作表示部２３は扉２０の前面側からタッチすることによって操作でき、表示内容は前方から視認できるようになっている。
【００２７】
また、上記冷蔵庫本体１の背面には冷却室２５が設けてあり、冷却器２６と冷却ファン２７が設置してある。冷却器２６は冷蔵庫本体１下部の機械室２８に組み込んだ圧縮機２９で圧縮した冷媒の蒸発により冷却室２５内で冷気を生成する。また、冷却ファン２７は、上記冷却室２５で生成した冷気を前記各貯蔵室３、４に供給し、その後冷却室２５に回収して再び各貯蔵室３、４へと循環させる。
【００２８】
そして、図５に示すように上記各貯蔵室３、４に冷気を供給する第１吹出風路４７、第２吹出風路４８は、冷蔵庫本体１内に貯蔵室３、４を形成する壁面ユニット３０を利用してその内部に形成してある。すなわち、壁面ユニット３０は、冷却室側壁面板３２と貯蔵室側壁面板３１を組み合わせて構成してあり、その内面に設けた風路形成用リブ４５、４６によって前記第１吹出風路４７、第２吹出風路４８が形成してある。
【００２９】
なお、図中、３６は冷却ファン２７からの冷気を開閉制御するダンパ装置、４３、４４はダンパ装置３６からの冷気を前記第１吹出風路４７、第２吹出風路４８へと案内する第１透孔及び第２透孔、５１ａ、５１ｂは冷気の吹出し口、５２ａ、５２ｂは冷気の戻り口である。また、冷却ファン２７は多翼ファン２７ａとこれを覆うファンガイド４２からなり、ファンガイド４２は前記ダンパ装置３６を一体に覆っている。
【００３０】
次に図６〜図２１を用いて扉２０の軸支構成を説明する。その前に扉２０の構成を図６〜図１４により説明しておく。
【００３１】
図６は冷蔵庫の扉の分解斜視図、図７は同冷蔵庫の扉をさらに細かく分解して示す分解斜視図、図８は図４のＣ−Ｃ断面図、図９は同冷蔵庫のガスケット取付部分の分解斜視図、図１０は同冷蔵庫のガスケットと扉とを示す分解斜視図、図１１は同冷蔵庫の扉のガスケット取付部を示す断面図、図１２は同冷蔵庫の扉の操作表示部分を示す分解斜視図、図１３は同冷蔵庫の操作部ユニットの斜視図、図１４は同冷蔵庫の扉の操作表示部分を示す断面図である。
【００３２】
上記扉２０は既述したように内部が目視できるようにガラス板等の透光性の中央板２１を有している。図４に示すように、扉２０の中央板２１は額縁状の縁枠５５によって保持されている。縁枠５５は、図６、図７に示すように、扉２０を閉じた状態で前記貯蔵室側に位置する樹脂製の内板５６と、前記内板５６とともに前記中央板２１を挟み込み保持する樹脂製の外板５７とを備えている。
【００３３】
外板５７は図８に示すように内板５６側が開口する断面略コ字状に形成してあり、外周側の端縁には、全周にわたって凹状部５８が形成してある。また、内板５６は略平面状に形成してあり、外周側の端部には外箱側に突出する外周端縁を備えている。内板５６は、外周端縁を前記外板５７の凹状部５８に圧入しビス止め等して外板５７に固定してある。これにより、上記外板５７と内板５６とは中央板２１を挟持し、扉２０を構成している。内板５６と外板５７は、それぞれ、インジェクション成形によって成形された樹脂部材である。
【００３４】
なお、この実施の形態で示す扉２０は、図６、図７に示すように、前記外板５７の外面に縁枠５５と同様の額縁形状に形成したステンレス等からなる装飾板６７を嵌め込んでビス止めしている。装飾板６７は、縁枠５５の外板５７側の面と、側面とを覆っている。さらに装飾板６７の反貯蔵室側の面には、装飾用のガラス等からなる額縁状の透明前板６８を両面テープもしくは接着剤等によって装着している。これによって、扉２０に堅牢感と高級感を持たせてある。更に、上記外板５７と内板５６との間の中央板２１外周の空間には発泡スチロール等の断熱材５９を装填してある。これによって扉２０に断熱性を持たせてある。
【００３５】
また、上記内板５６は、図９、図１０に示すように、貯蔵室３，４に面する側の面の周囲部の略全周に凹部６０を備えている。つまり、凹部６０は、内板５６の貯蔵室側の面に矩形状に設けられ、少なくとも４つの直線部を備えている。凹部６０の４つの直線部には
、それぞれ、ガスケット保持部材６１が嵌め込まれている。ガスケット６２は、ガスケット保持部材６１を介して内板５６の貯蔵室側の面に、略矩形状に装着してある。
【００３６】
凹部６０の外面は、内板５６の外板５７に面する面から外板５７側に突出している。凹部６０の開口部分には、ガスケット保持部材６１を保持するための凸部６６が設けてある。凸部６６は、凹部６０の窪みを形成する側面のそれぞれに設けられ、開口面積を減少させる方向に側面から突出する。凸部６６は、凹部６０の直線部の長手方向に所定の間隔で設けられている。つまり、凹部６０の直前部の長手方向の全長にわたって設けられてない（図１４参照）。
【００３７】
ガスケット保持部材６１は、図９〜図１１に示すように、断面がΩ（オメガ）形状の直線状の部材である。ガスケット保持部材６１は、押出し成形または引抜き成形で形成された樹脂部材である。ガスケット保持部材６１は、ガスケット６２を保持するガスケット保持凹部６３を備えている。ガスケット保持凹部６３は、貯蔵室側に開口した凹部である。
【００３８】
ガスケット保持凹部６３の開口部分には、ガスケット６２が抜け落ちるのを防止するガスケット抜け防止用リブ６４が設けてある。ガスケット抜け防止用リブ６４は、ガスケット保持凹部６３の窪みを形成する側面のそれぞれに設けられ、開口面積を減少させる方向に側面から突出するリブである。ガスケット抜け防止用リブ６４は、ガスケット保持部材６１の長手方向の全長にわたって設けられる。
【００３９】
ガスケット保持部材６１は、反開口側の側面のそれぞれに固定用リブ６５を備えている。ガスケット保持凹部６３は、固定用リブ６５と内板５６の凸部６６とが係合することで、内板５６に装着してある。
【００４０】
ガスケット６２は、扉２０と冷蔵庫本体１との隙間を埋め、扉２０を閉じた状態で、扉２０を冷蔵庫本体１に密着させるシール部材である。
【００４１】
図９、図１０を用いて、扉２０へのガスケット６２の取り付け方法について説明する。図９に示すように、まず、扉２０の内板５６に、４つのガスケット保持部材６１を取り付ける。なお、図９は、部分斜視図であるため、２つのガスケット保持部材６１しか図示していない。次に、図１０に示すように、ガスケット保持部材６１に、ガスケット６２を取り付ける。
【００４２】
さらに、上記扉２０の上部には既述したように操作表示部２３が設けてある。この操作表示部２３は、図１２に示すように、操作部ユニット７１を、扉２０の貯蔵室側から、扉２０に組み込んである。扉２０は、縁枠５５の上片部分に貯蔵室側の面から窪んだ操作部設置用凹所７０を備えている。操作部ユニット７１は、操作部設置用凹所７０に嵌め込み、その背面側（貯蔵室側）から蓋板７２で覆っている。蓋板７２は、扉２０にビスで止めてある。
【００４３】
上記操作部設置用凹所７０は、縁枠５５内の断熱材５９の一部を欠如して構成してある。そして、上記縁枠５５の外板５７、内板５６および装飾板６７のそれぞれは、前記操作部設置用凹所７０と対向する部分に開口部を備えている。内板５６の開口部は、操作部設置用凹所７０が有する開口となる。また、内板５６の開口部は、操作部ユニット７１を操作部設置用凹所７０に組み込むための、挿入口でもある。
【００４４】
上記操作部設置用凹所７０の貯蔵室側には、図１４に示すように、傾斜面７３ａと、傾斜面７３ａの下方に設けられた垂直面７３ｂとが設けてある。傾斜面７３ａは内板に設けられた開口部の下縁近傍から伸びる面であり、反貯蔵室側に向かうほど下がる面である。
垂直面７３ｂは、後述する第２押圧片７４ｂの当接面である。操作部設置用凹所７０の底面の奥行き方向の長さは、操作部ユニット７１の前後方向長さ（第２押圧片７４ｂの高さを含まず）より長く、操作部ユニット７１の前面と第２押圧片７４ｂの先端までの長さと同等か若干短い。
【００４５】
扉２０の貯蔵室側には、傾斜面７３ａと対向する部分にガスケット保持部材６１が挿入される凹部６０が設けてある。つまり、扉２０の上側のガスケット６２は、操作部設置用凹所７０の下方に設けてある。
【００４６】
操作部ユニット７１の前面側（反貯蔵室側）には、表示用ＬＥＤ等の表示部と、静電容量の変化を検出する電極膜を有する入力部とが設けられている。図１３に示すように、操作部ユニット７１の背面側には、上部の両側のそれぞれに第１押圧片７４ａが設けてある。また、操作部ユニット７１の背面側の下部には、図１２に示すように、複数の第２押圧片７４ｂが設けてある。
【００４７】
第１押圧片７４ａは、貯蔵室側に凸に湾曲した、操作部ユニット７１の側面から突出する薄板である。第２押圧片７４ｂは、操作部ユニット７１の背面から貯蔵室側に突出する凸部である。第１押圧片７４ａは上記操作部設置用凹所７０の背面壁となる蓋板７２の内面に弾接し、第２押圧片７４ｂは操作部設置用凹所７０下部の垂直面７３ｂに弾接している。これにより、操作部ユニット７１は、その前面に有する電極膜が、透明前板６８の貯蔵室側の面に圧接される。特に、第１押圧片７４ａは、両端が保持された湾曲した薄板であるため、板バネのように作用し、確実に操作部ユニット７１を透明前板６８に応接できる。
【００４８】
扉２０への操作部ユニット７１の取り付け方法について説明する。まず、操作部設置用凹所７０の挿入口から、横倒しにした操作部ユニット７１の下部を挿入する。そして、傾斜面７３ａの傾斜にしたがって、操作部ユニット７１を斜めにしつつ、操作部ユニット７１の背面側の下部が垂直部７０ｂに達するまで挿入を進める。さらに、操作部ユニット７１の背面側の下部を中心として、操作部ユニット７１を立てる。その後、蓋板７２で操作部設置用凹所７０の挿入口を覆う。最後に、蓋板７２をビスで止める。
【００４９】
次に、図１５〜図２１を用いて扉２０の軸支構成を説明する。
【００５０】
図１５は冷蔵庫の扉上部の軸支部分を示す分解斜視図、図１６（ａ）は同冷蔵庫の上部扉軸支部分の外箱と内箱とを示す分解斜視図、（ｂ）は同外箱にヒンジ支持金具を取り付けた状態を示す斜視図、（ｃ）は同外箱に内箱を組み込んだ状態を示す斜視図、図１７は同冷蔵庫の扉のヒンジ取付部分を示す半裁斜視図、図１８は同冷蔵庫の扉のヒンジ取付部分を拡大して示す半裁斜視図、図１９は同冷蔵庫の扉下部の軸支部分を底面側から見た斜視図、図２０は同冷蔵庫の扉下部のヒンジカバーを取り外した状態の軸支部分を示す斜視図、図２１は同冷蔵庫の扉の下端面部分を示す斜視図である。
【００５１】
また、上記扉２０は、その上下をヒンジによって冷蔵庫本体１に軸支してある。扉２０の上部は図１５に示すように、冷蔵庫本体１の上部に上部ヒンジ７５ａを介して開閉自在に軸支してある。また、扉２０の下部は図１９に示すように、冷蔵庫本体１の下部に下部ヒンジ７５ｂを介して開閉自在に軸支してある。上部ヒンジ７５ａと下部ヒンジ７５ｂ、それぞれリンク機構を有するヒンジで構成してある。つまり、上部ヒンジ７５ａと下部ヒンジ７５ｂは、それぞれ、少なくとも２つのリンク部と、３つの回転軸を有するヒンジである。
【００５２】
図１７、図１８に示すように、上部ヒンジ７５ａは、内箱７の上端内面に固定したヒン
ジ取付金具７６に取付けてある。ヒンジ取付金具７６は、第１、第２取付部７６ａ、７６ｂを有するように、断面が略階段状に折り曲げられた金属製の板である。第１取付部７６ａは上部に設けられた水平方向の面であり、第２取付部７６ｂは、第１取付部７６ａより下方に設けられ、第１取付部７６ａの前端より前面側に位置する垂直方向の面である。
【００５３】
図１６に示すように、第１取付部７６ａは外箱６の天井面にビス７７で固定される。第２取付部７６ｂは、内箱７のヒンジ金具取付用フランジ面７ｂの内面に当接する。ヒンジ金具取付用フランジ面７ｂは、内箱７の上側のフランジ部の一部である。図１７、図１８に示すように、ヒンジ取付金具７６は、ヒンジ金具取付用フランジ面７ｂを介して、第２取付部７６ｂに、ビス７７で固定される。
【００５４】
これにより、外箱６と内箱７は上記ヒンジ取付金具７６によって一体に連結されることになる。
【００５５】
また、扉２０の下部を軸支する下部ヒンジ７５ｂは、図１９、図２０に示すように下部ヒンジ７５ｂの下面がヒンジカバー７８によって覆われている。ヒンジカバー７８は、下部ヒンジ７５ｂの下面を覆うカバー部と、カバー部と略垂直な面であって、内箱７の下側のフランジ面と略平行な面である、リード線規制面とを備えている。リード線規制面には、後述するリード線７９の移動範囲を規制する透孔８０を備えている。
【００５６】
下部ヒンジ７５ｂは、図２０に示すように、冷蔵庫本体１に固定される本体側固定部７５１と、扉２０側に固定される扉側固定部７５２とを備えている。本体側固定部７５１には、本体側回転軸７５３を介して、第１リンク部７５４が接続されている。扉側固定部７５２には、扉側回転軸７５５を介して、第２リンク部７５６が接続されている。第１リンク部７５４と第２リンク部７５６は、移動回転軸７５７を介して接続されている。扉２０を閉じた状態では、第１リンク部７５４と第２リンク部７５６は、重なり合う。扉２０を開いた状態では、第１リンク部７５４と第２リンク部７５６の長さに応じて、扉２０は冷蔵庫本体１から突出する。なお、上部ヒンジ７５ａは、下部ヒンジ７５ｂと同様の構造である。
【００５７】
このようなヒンジを用いることで、扉２０を閉じた状態では、図２１に示すように、扉２０の側面を、冷蔵庫本体１の側面と略一致させるとともに、扉２０を開いた状態でも、図１９に示すように、扉２０の側面を冷蔵庫本体１の前面側（冷蔵庫本体１の側面より内側）に、位置させることができる。このため、システムキッチン等にビルトインされるアンダーカウンター式の冷蔵庫であっても、冷蔵庫に隣接して設置された機器、例えば、食器洗浄機等に干渉することなく、扉２０を開閉できる。
【００５８】
リード線７９は、扉２０の上部に設けた操作表示部２３と、冷蔵庫本体１の背面に設けた制御部（図示せず）とを電気的に接続する電線である。操作表示部２３からのリード線７９は図２１に示すように扉２０の底面に沿って下部ヒンジ７５ｂ部分まで配線される。リード線７９は、ヒンジカバーの透孔８０を通して冷蔵庫本体１の底面に引き込まれ、制御部（図示せず）に接続されている。
【００５９】
透孔８０は、リード線７９を冷蔵庫本体１に引き込む箇所において、リード線７９の左右方向の動きを規制する第１規制部である。透孔８０の冷蔵庫本体１の中央側の端部は、扉２０を閉じた状態における、移動回転軸７５７より冷蔵庫本体１の反中央部側に位置している。さらに、透孔８０の冷蔵庫本体１の中央側の端部は、扉２０を閉じた状態における、移動回転軸７５７と本体側固定部７５１とを結ぶ線分の中点より冷蔵庫本体１の反中央部側に位置していることが望ましい。
【００６０】
透孔８０の冷蔵庫本体１の反中央部側の端部は、本体側回転軸７５３より冷蔵庫本体１の中央側に位置している。
【００６１】
さらに、透孔８０の左右方向（冷蔵庫本体１の幅方向）の中心は、扉２０を全開した状態の扉２０の厚さ方向の中心を通る仮想的な線の延長線Ｘ上に位置することが望ましい（図１９参照）。なお、本実施の形態では、第１規制部は、透孔８０としてヒンジカバー７８に設けたが、直接、冷蔵庫本体１に設けてもよい。
【００６２】
また、前記透孔８０から引き込んだリード線７９は、冷蔵庫本体１の底面に設けたクリップ８１によって保持してある。クリップ８１は、リード線７９の軸方向（図１９におけるＹ方向）の動きを規制せず、リード線７９のその他の方向の動きを規制する第２規制部である。クリップ８１の冷蔵庫本体１の幅方向の位置は、扉２０を閉じた状態における、移動回転軸７５７より冷蔵庫本体１の中央側である。クリップ８１の冷蔵庫本体１の奥行き方向の位置は、下部ヒンジ７５ｂより冷蔵庫本体１の背面側である。
【００６３】
上記構成において、以下その作用効果について説明する。
【００６４】
この冷蔵庫の扉２０は上下のヒンジ７５、７５ａによって冷蔵庫本体１に開閉自在に軸支しているが、下部ヒンジ７５ｂ部分を利用してリード線、この例では扉２０上部に設けた操作表示部２３を冷蔵庫本体１に設けた制御部（図示せず）につなぐリード線７９を引き回してある。
【００６５】
ここで、上記操作部ユニット７１から本体制御部へのリード線７９は、扉２０を開閉することで、屈曲する。また、扉２０を閉じた状態で必要なリード線の長さは、扉２０を開いた状態で必要なリード線の長さより短い。特に、リンク機構を有するヒンジを用いた場合には、扉２０を閉じた状態と開いた状態とで必要なリード線の長さの差は、大きくなる。これらの理由により、リード線７９に負荷がかかり、リード線７９が断線する虞がある。
【００６６】
しかし、本実施の形態では、下部ヒンジ７５ｂのヒンジカバー７８に設けた透孔８０を通して冷蔵庫本体１の底面へと引き込み、その引き込み位置を規制している。このため、扉２０を閉じた状態で必要なリード線の長さと、開いた状態で必要なリード線の長さの差を小さくできる。また、扉２０の開閉によってリード線７９が延び縮みしてその長さ寸法に変化が生じても、この縮んで余った形となる部分のリード線７９が扉２０の端部と下部ヒンジ７５ｂとの間に咬みこまれるのを防止できる。
【００６７】
すなわち、扉２０を閉じて、リード線７９が余る状態になっても、この寸法余りとなる部分のリード線７９は透孔８０により冷蔵庫本体１の中央側へ移動するのを規制され、透孔８０とクリップ８１を介して冷蔵庫本体１の底面側へと動くようになる。したがって、リンク機構を有するヒンジを用いて扉２０を軸支しリード線７９が大きく延び縮みするような場合であっても、リード線７９の屈曲による負荷や、リード線７９の咬み込みが抑制され、断線等を防止することができる。
【００６８】
特に、透孔８０は、リード線７９の移動を移動回転軸７５７より冷蔵庫本体１の反中央部側に規制するので、リード線７９の屈曲量やたわみ量を縮小し、リード線７９の傷付をより確実に防止することができる。
【００６９】
また、クリップ８１は、リード線７９の冷蔵庫本体１の奥行方向の移動を、下部ヒンジ７５ｂより冷蔵庫本体１の背面側に規制するとともに、リード線７９の軸方向の移動を許容する。これにより、扉２０の開閉によって生じるリード線７９の余剰部分が、下部ヒン
ジ７５ｂに噛み込まれるのを防止できる。
【００７０】
特にこの実施の形態では、透孔８０は扉２０を全開した状態の扉２０の厚さ方向の中心を通る仮想的な線の延長線Ｘ上に設けられている。これにより、扉２０を閉じたときに生じるリード線７９の寸法余り部分は素直に透孔８０を摺動して冷蔵庫本体側に移動するようになり、ヒンジ部分での屈曲を抑制してリード線７９の傷付きをより確実に防止することができる。
【００７１】
なお、扉２０は、ヒンジを介して内板５６に取り付けると、外箱６の天面と扉２０の上面とを平行とするのが難しい、つまり、平行度の確保が難しいという課題がある。しかし、本実施の形態では、扉２０は、外箱６に連結したヒンジ取付金具７６に、内箱７を介して取り付けている。
【００７２】
これによって、内箱７に扉２０を軸支していても、扉２０の外箱６に対する平行度が確保でき、外箱６に対し扉２０が傾く、というような課題を解消することができる。したがって、ビルトインタイプのような、扉２０の傾きが目立ちやすい冷蔵庫であっても、扉２０の傾きを確実に防止できる。その結果、冷蔵庫の品質が向上し、かつ、歩留まりが高まることによりコストダウンも推進することができる。
【００７３】
また、扉２０の上部に設けた操作表示部２３は、その操作部ユニット７１の第１、第２押圧片７４ａ、７４ｂを操作部設置用凹所７０の内壁部分に弾接させて設置してあるから、操作表示部２３の電極膜は透明前板６８の内面に圧接されることになる。したがって、タッチ操作時の静電容量の検出精度を高めることができ、操作品質を向上させることができる。
【００７４】
更に、上記操作部ユニット７１を設置する操作部設置用凹所７０は、操作部ユニット７１の背面側を傾斜面７３ａとしてあるから、傾斜面７３ａ後方に生じるデッドスペースを利用してガスケット６２を装着することができる。すなわち、操作部ユニット７１とガスケット６２をオーバラップさせて設置することができる。これにより、操作部ユニット７１とガスケット６２との設置スペースを縮小し、その分中央板２１を大きくして視認性を上げることができる。
【００７５】
また、前記扉２０の内板５６に設けたガスケット６２は、貯蔵室３，４の開口部分と操作部ユニット７１との間に位置するように設けてあるから、貯蔵室３，４内の冷気が操作部ユニット７１の設置背面部分まで流れてこれを冷却するのを防止することができる。これにより、操作部ユニット７１の過度な冷却による結露発生等の障害を防止することができる。
【００７６】
また、上記冷蔵庫の扉２０は、透光性の中央板２１を額縁状の縁枠５５の外板５７と内板５６とによって挟み込み保持して構成してあるから、中央板２１を保持固定するための主要部品は縁枠５５の外板５７と内板５６だけとなって大幅に部品点数を削減することができる。しかも上記外板５７、内板５６は比較的安価なインジェクション成形によって製造できるので、部品製造コストも抑制することができる。
【００７７】
また、内板５６をインジェクション成形で形成し、内板５６に、外板５７側に突出する凹部６０と、凹部６０の窪みを形成する側面から突出するリブとを同時に形成するのは困難である。しかし、本実施の形態では、上記インジェクション成形では形成しがたい内板５６のガスケット保持構成は、インジェクション成形によって内板成型と同時に形成した凹部６０にガスケット保持部材６１を装着して構成している。
【００７８】
したがって、部品点数が一点増えるものの、前記ガスケット保持部材６１は、断面形状が同一の直線状の部材であるため、安価な押出し成形によって形成できる。このため、部品点数増によるコストアップは最小限に抑制できる。よって、部品点数及び組み立て工数の削減と部品製造コストの削減により大幅なコストダウンが可能となる。
【００７９】
なお、凸部６６は、凹部６０の開口部分に突出する構成であるが、凹部６０の全幅にわたって設けられたリブではなく、所定の間隔で設けられた突起であるため、インジェクション成形で容易に形成することができる。
【００８０】
また、上記ガスケット保持部材６１は、ガスケット保持凹部６３の開口部分にガスケット抜け防止用リブ６４を有しているので、ガスケット６２を脱落させることなく強固に固定保持することができる。よって、確実なシール性能を保持することができる。また、ガスケット抜け防止用リブ６４は、ガスケット保持凹部６３の開口部分に突出する構成であるが、ガスケット保持部材に設けているため、押出し成形で容易に形成することができる。
【００８１】
以上、本発明に係る冷蔵庫について、上記実施の形態を用いて説明してきたが、本発明は、これに限定されるものではなく、本発明の目的を達成する範囲内で種々変更可能であることは言うまでもない。
【００８２】
例えばこの実施の形態の冷蔵庫はシステムキッチン等にビルトインされて使用されるアンダーカウンター式の冷蔵庫としたが、ビルトインされることなく使用される冷蔵庫であってもよく、またワイン保存に適した冷蔵庫として示したが、食材を冷却保存する普通の冷蔵庫であってもよいものである。
【００８３】
また、この実施の形態では貯蔵室が二つの場合を例示したが、貯蔵室は二つ以上であってそのそれぞれの温度帯を異なるものとしてもよいものである。
【００８４】
以上のように、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００８５】
以上のように本発明は、クランク機構を有するヒンジを用いて扉を軸支していてもリード線の傷付等を確実に防止することができ、信頼性の高い冷蔵庫とすることができる。よって、一般、業務用を問わず各種冷蔵庫に幅広く適用することができる。
【符号の説明】
【００８６】
１  冷蔵庫本体
３  貯蔵室（上側貯蔵室）
４  貯蔵室（下側貯蔵室）
６  外箱
７  内箱
２０  扉
２１  中央板
２２  把手
２３  操作表示部
２５  冷却室
２６  冷却器
２７  冷却ファン
２８  機械室
２９  圧縮機
６６  凸部
６７  装飾板
６８  透明前板
７０  操作部設置用凹所
７１  操作部ユニット
７２  蓋板
７３ａ  傾斜面
７３ｂ  垂直面
７４ａ  第１押圧片
７４ｂ  第２押圧片
７５ａ  上部ヒンジ
７５ｂ  下部ヒンジ
７６  ヒンジ取付金具
７６ａ  第１取付部
７６ｂ  第２取付部
７７  ビス
７８  ヒンジカバー
７９  リード線
８０  透孔
【図１】
2018146202.tif 000003
【図２】
2018146202.tif 000004
【図３】
2018146202.tif 000005
【図４】
2018146202.tif 000006
【図５】
2018146202.tif 000007
【図６】
2018146202.tif 000008
【図７】
2018146202.tif 000009
【図８】
2018146202.tif 000010
【図９】
2018146202.tif 000011
【図１０】
2018146202.tif 000012
【図１１】
2018146202.tif 000013
【図１２】
2018146202.tif 000014
【図１３】
2018146202.tif 000015
【図１４】
2018146202.tif 000016
【図１５】
2018146202.tif 000017
【図１６】
2018146202.tif 000018
【図１７】
2018146202.tif 000019
【図１８】
2018146202.tif 000020
【図１９】
2018146202.tif 000021
【図２０】
2018146202.tif 000022
【図２１】
2018146202.tif 000023
【図２２】
2018146202.tif 000024